【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
携帯用照明装置であって、
照明装置ハウジングであって、前方端部、後方端部、および当該前方端部と後方端部との間の長手軸を規定し、第１のハウジングと、当該第１のハウジングおよび前記長手軸に対して旋回自在な照明装置ヘッド部とを含むものである、前記照明装置ハウジングと、
前記照明装置ヘッド部内に配置された照明光源であって、前記照明装置ヘッド部から外側に向かって光を向けるために選択的に通電可能である、前記照明光源と、
前記１若しくはそれ以上の光源に選択的に通電して光を生成するための電気スイッチと、
前記第１のハウジング内に配置された第２の光源であって、前記第１のハウジングから外側かつ前記照明光源の光とは異なる方向に向かって光を向けるために選択的に通電可能である、前記第２の光源と、
前記照明装置ヘッド部の前記第１のハウジングに対する旋回位置の検出器であって、前記照明装置ヘッド部が前記第１のハウジングに対して近位に旋回し、前記検出器により前記照明装置ヘッド部と前記第１のハウジングが近位にあることが検出された際に、前記第２の光源に通電および／または前記第２の光源に対して通電停止するように構成されているものである、前記検出器と
を有する、携帯用照明装置。
【請求項２】
請求項１記載の携帯用照明装置において、前記第２の光源は、さらに、
第１の光生成要素によって生成された第１の光および第２の光生成要素によって生成された第２の光を受光するように構成された光学素子を有し、
前記光学素子は、前記第１の光および前記第２の光を前記照明装置ハウジングによって規定された前記長手軸に対して実質的に平行な方向に向けるように構成されているものである、携帯用照明装置。
【請求項３】
請求項１記載の携帯用照明装置において、前記検出器は、前記照明装置ヘッド部が前記第１のハウジングに対して所定の角度よりもより大きい角度だけ旋回したことを検出し、選択的に前記第２の光源に通電するものである、携帯用照明装置。
【請求項４】
請求項１記載の携帯用照明装置において、
前記検出器は、前記照明装置ヘッド部および前記第１のハウジングのうちの一方によって支持された磁石と、前記照明装置ヘッド部および前記第１のハウジングのうちの他方によって支持された磁界検出器とを有し、
前記磁界検出器は、前記照明装置ヘッド部が前記第１のハウジングに対して所定の角度だけ旋回したときに、前記磁石の磁界を検出するものである、
携帯用照明装置。
【請求項５】
請求項４記載の携帯用照明装置において、前記所定の角度は、
約６０度〜約９０度の範囲内であるか、または
約８５度〜約９０度の範囲内である、携帯用照明装置。
【請求項６】
請求項４記載の携帯用照明装置において、前記磁界検出器は、ホール効果センサまたはリードスイッチ（ｒｅｅｄ  ｓｗｉｔｃｈ）を含むものである、携帯用照明装置。
【請求項７】
請求項１記載の携帯用照明装置において、さらに、
前記照明装置ハウジングに取り付けられ、前記照明装置ハウジングに沿って実質的に長手方向に延びる細長いクリップ、または、
前記照明装置ハウジングにおいて前記照明光源の近位に取り付けられたハンガーリング、または、
前記照明装置ハウジングに取り付けられ、前記照明装置ハウジングに沿って実質的に長手方向に延びる細長いクリップ、および前記照明装置ハウジングにおいて前記照明光源の近位に取り付けられたハンガーリング、
を有するものである、携帯用照明装置。
【請求項８】
請求項７記載の携帯用照明装置において、
当該携帯用照明装置が前記細長いクリップを含む場合、前記細長いクリップは前記照明装置ハウジング周りに回転自在に構成されており、
当該携帯用照明装置が前記ハンガーリングを含む場合、前記ハンガーリングは、前記照明装置ハウジングにおいて前記照明光源の近位に取り付けられ、前記照明装置ハウジングに隣接して格納されるとともに、前記照明装置ハウジングから離れる方向に配置されるものである、
携帯用照明装置。
【請求項９】
携帯用照明装置であって、
照明装置ハウジングであって、前方端部、後方端部、および当該前方端部と後方端部との間の長手軸を規定し、第１のハウジングと、前記長手軸および前記第１のハウジングに対して旋回自在な照明装置ヘッド部とを含むものである、前記照明装置ハウジングと、
前記旋回自在な照明装置ヘッド部内に配置された照明光源であって、当該照明装置ヘッド部において前記照明装置ハウジングの前方端部に対応する位置から外側に向かって光を向けるために選択的に通電可能である、前記照明光源と、
前記照明装置ヘッド部の後方端部から外側に向かって光を向けるために選択的に通電可能な第２の光源であって、第１の光を生成するように構成された少なくとも１つの第１の光生成要素を含むものである、前記第２の光源と、
前記照明光源、または前記第１の光生成要素、若しくは前記照明光源および前記第１の光生成要素に選択的に通電して光を生成するための電気スイッチと、
前記旋回自在な照明装置ヘッド部の前記第１のハウジングに対する旋回位置の検出器であって、前記旋回自在な照明装置ヘッド部が前記第１のハウジングに対して近位に旋回し、前記検出器により前記旋回自在な照明装置ヘッド部と前記第１のハウジングが近位にあることが検出された際に、前記第１の光生成要素に通電および／または前記第１の光生成要素に対して通電停止するように構成されているものである、前記検出器と
を有する、携帯用照明装置。
【請求項１０】
請求項９記載の携帯用照明装置において、前記第２の光源は、さらに、
第２の光を生成するように構成された第２の光生成要素を含み、
前記電気スイッチは、光を生成するために、前記照明光源、前記第１の光生成要素、または前記第２の光生成要素、若しくは、前記照明光源、前記第１の光生成要素、および前記第２の光生成要素の任意の組み合わせに選択的に通電するものであり、
前記照明装置ヘッド部の前記第１のハウジングに対する旋回位置の検出器は、前記第１の光生成要素または前記第２の光生成要素、若しくは前記第１の光生成要素および前記第２の光生成要素の双方に通電および／または前記第１の光生成要素または前記第２の光生成要素、若しくは前記第１の光生成要素および前記第２の光生成要素に対して通電停止するものである、
携帯用照明装置。
【請求項１１】
請求項１０記載の携帯用照明装置において、前記第２の光源は、さらに、
第１の光生成要素によって生成された第１の光および前記第２の光生成要素によって生成された第２の光を受光するように構成された光学素子を有し、
前記光学素子は、前記第１の光および前記第２の光を後方かつ前記照明装置ハウジングによって規定された前記長手軸に対して実質的に平行な方向に向けるように構成されているものである、携帯用照明装置。
【請求項１２】
請求項１１記載の携帯用照明装置において、
前記光学素子は、前記照明装置ハウジングの後方端部から外側に、前記長手軸の方向に対して実質的に平行な軸に沿って光を向けるように構成された反射器を有し、
前記第１の光生成要素は、前記第１の光を前記反射器によって規定された軸に対して実質的に平行に向けるように構成されており、
前記第２の光生成要素は、前記第２の光を前記反射器によって規定された軸に対して実質的に横断方向に向けるように構成されており、前記反射器は、前記第２の光生成要素からの前記第２の光を当該反射器によって規定された軸に対して実質的に平行に向けるものである、
携帯用照明装置。
【請求項１３】
請求項１２記載の携帯用照明装置において、さらに、
電子回路基板を有し、
前記第１の光生成要素は、前記電子回路基板の表面に装着され、前記電子回路基板の表面に対して実質的に平行かつ前記反射器によって規定される軸に対して実質的に平行に光を向けるように構成されており、
前記第２の光生成要素は、前記電子回路基板の表面に装着され、前記電子回路基板の表面に対して実質的に横断方向に光を向けるように構成されており、
前記反射器は放物線状表面の一部を画成する反射面を有し、この放物線状表面は、放物線の軸および放物線の軸上の焦点を規定し、前記反射器はその基端部において開口しているものであり、
前記反射器は前記電子回路基板に隣接して配置されており、それにより、前記放物線の軸は前記電子回路基板の表面に対して実質的に平行となるものであり、
前記第１の光生成要素は前記反射器の基部の開口部を通して光を向けるものであり、前記第２の光生成要素は前記反射器の前記放物線状表面の実質的に焦点位置に配置されているものである、
携帯用照明装置。
【請求項１４】
請求項１２記載の携帯用照明装置において、さらに、
レンズであって、前記第１の光生成要素によって生成された前記第１の光および前記第２の光生成要素によって生成された前記第２の光が当該レンズを通過するように前記反射器に隣接して配置されているものである、前記レンズ、または、
フレネルレンズであって、前記第１の光生成要素によって生成された前記第１の光および前記第２の光生成要素によって生成された前記第２の光が当該フレネルレンズを通過するように前記反射器に隣接して配置されているものである、前記フレネルレンズ、
を有するものである、携帯用照明装置。
【請求項１５】
請求項１１記載の携帯用照明装置において、
前記光学素子は、前記照明装置ハウジングの後方端部から外側に、前記長手軸の方向に対して実質的に平行な軸に沿って光を向けるように構成された反射器と、前記照明装置ハウジングの後方端部から外側に光を向けるように構成され、前記長手軸と実質的に平行な軸を有するライトパイプ（ｌｉｇｈｔ  ｐｉｐｅ）とを有し、
前記第１の光生成要素は、光を前記ライトパイプ内に入射するように方向付けるものであり、
前記第２の光生成要素は、光を前記反射器によって規定された軸に対して実質的に横断方向に向けるように構成されており、前記反射器は、前記第２の光生成要素からの前記光を当該反射器によって規定された軸に対して実質的に平行に向けるものである、
携帯用照明装置。
【請求項１６】
請求項１１記載の携帯用照明装置において、
前記光学素子は、内部反射する固体光学素子を有し、当該固体光学素子は、その第１の入力面および第２の入力面でそれぞれ受光した光を、前記照明装置ハウジングの後方端部の近位にある出力面から外側に、前記長手軸方向に対して実質的に平行な軸に沿って向けるように構成されているものであり、
前記第１の光生成要素は、前記第１の光を前記内部反射する固体光学素子の前記第１の入力面に入射するように方向付けるものであり、
前記第２の光生成要素は、前記第２の光を前記内部反射する固体光学素子の前記第２の入力面に入射するように方向付けるものである、
携帯用照明装置。
【手続補正２】
【補正対象書類名】明細書
【補正対象項目名】０００４
【補正方法】変更
【補正の内容】
【０００４】
携帯用照明装置は、たとえば、旋回自在ヘッドの位置の検出器を有する場合があるか、前方を向いた照明装置および後方を向いた照明装置を有する場合があるか、クリップを有する場合があるか、クリップに取付け可能な付属部品を有する場合があるか、これらの組合せを有する場合がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，５５８，４３０号明細書
（特許文献２）  米国特許第２，５８１，１２９号明細書
（特許文献３）  米国特許出願公開第２００６／００３４０７４号明細書
（特許文献４）  米国特許出願公開第２００５／００８２９８９号明細書
（特許文献５）  米国特許出願公開第２０１２／０１８２７２３号明細書
（特許文献６）  米国特許第５，８７１，２７２号明細書
（特許文献７）  米国特許出願公開第２０１４／００９２５９０号明細書